(57)【特許請求の範囲】
【請求項１】
便器の後部の軸受ハウジングの側壁から突出する支持軸に、内部にヒータを有する便座が取外し可能かつ開閉可能に取付けられているトイレ装置において、
前記軸受ハウジングの側壁の前記支持軸近傍に設けられたコード接続部より取り出され前記ヒータに接続される配線コードを備え、該配線コードを収納するコード収納部を前記便座の後端に設け、しかも前記配線コードが前記軸受ハウジングの一方の端部から前記便座の一方の袖部にわたって配線され、前記便座の袖部が前記支持軸に軸着されたときに、前記配線コードが露出せず、前記便座を前記支持軸から外すと前記コード収納部から前記配線コードが引き出されることを特徴とするトイレ装置。
【請求項２】
請求項１記載のトイレ装置において、前記コード収納部には、前記一方の袖部と前記軸受ハウジングの一方の端部との間にある弛んだ前記配線コードを、前記コード収納部内に引っ張りこむコード引込み手段が設けられていることを特徴とするトイレ装置。
【請求項３】
請求項２記載のトイレ装置において、前記コード引込み手段は、前記配線コードが挿通するガイドボックスと、該ガイドボックス内に配置されて前記配線コードを囲繞し前記コード収納部の基端側で支持されるコイルスプリングと、前記コイルスプリング内を挿通する前記配線コードに、該配線コードが自由状態の前記コイルスプリングの先側から出た位置で固定されるストッパ部材とを有することを特徴とするトイレ装置。
【請求項４】
請求項１記載のトイレ装置において、前記軸受ハウジングの一方の端部から前記便座の一方の袖部にわたって配線されている前記配線コードに、弛みの発生を防止する螺旋状の巻き癖が形成されていることを特徴とするトイレ装置。
【請求項５】
請求項４記載のトイレ装置において、前記巻き癖は前記支持軸を中心にして配置されていることを特徴とするトイレ装置。
【発明の詳細な説明】
【０００１】
【発明の属する技術分野】
本発明は、掃除等の便宜のために便座を取外すことが可能なトイレ装置に関する。
【０００２】
【従来の技術】
図６に従来のトイレ装置６０を示すが、便器６１の後部に局部洗浄装置、洗浄用の水を流すバルブ及び全体の制御装置を収納した機能部６２が設けられ、機能部６２の手前側に設けられた軸受ハウジング６３に、便座６４と便蓋６５が開閉可能に取付けられている。
便座６４には冬季の暖房用のために電熱ヒータが設けられていると共に、内部に電熱ヒータによって加熱された便座６４の温度を測定する温度センサー（サーミスタ）が設けられ、これらの配線コード６６が便座６４と機能部６２との間に弛みを設けて配線されている。なお、図６において、６７は電源コードを、６８はアース線を、６９は水の給水ホースを示す。
【０００３】
【発明が解決しようとする課題】
しかしながら、従来のトイレ装置６０においては、便座６４と機能部６２を連結する配線コード６６が外部に露出しているので、外観が悪いという問題があった。
そこで、便座からの配線コードを無くす試みが種々提案され、例えば、便座の基端側を回動可能に支持している支持軸を通して配線することもできるが、掃除等の場合に便座を取外すことが困難であるという問題があった。
本発明はかかる事情に鑑みてなされたもので、便座を取外すことも容易に可能で、しかも、便座への配線コードが外部に露出しないトイレ装置を提案することを目的とする。
【０００４】
【課題を解決するための手段】
前記目的に沿う第１の発明に係るトイレ装置は、便器の後部の軸受ハウジングの側壁から突出する支持軸に、内部にヒータを有する便座が取外し可能かつ開閉可能に取付けられているトイレ装置において、
前記軸受ハウジングの側壁の前記支持軸近傍に設けられたコード接続部より取り出され前記ヒータに接続される配線コードを備え、該配線コードを収納するコード収納部を前記便座の後端に設け、しかも前記配線コードが前記軸受ハウジングの一方の端部から前記便座の一方の袖部にわたって配線され、前記便座の袖部が前記支持軸に軸着されたときに、前記配線コードが露出せず、前記便座を前記支持軸から外すと前記コード収納部から前記配線コードが引き出される。
ここで、第２の発明に係るトイレ装置は、第１の発明に係るトイレ装置において前記コード収納部には、前記一方の袖部と前記軸受ハウジングの一方の端部との間にある弛んだ前記配線コードを、前記コード収納部内に引っ張り込むコード引込み手段が設けられている。これによって、配線コードの弛み部分が自動的にコード収納部に納まる。
【０００５】
更に、第３の発明に係るトイレ装置は、第２の発明に係るトイレ装置において、前記コード引込み手段は、前記配線コードが挿通するガイドボックスと、該ガイドボックス内に配置されて前記配線コードを囲繞し前記コード収納部の基端側で支持されるコイルスプリングと、前記コイルスプリング内を挿通する前記配線コードに、該配線コードが自由状態の前記コイルスプリングの先側から出た位置で固定されるストッパ部材とを有する。これによって、緩んだ配線コードはコイルスプリングによってコード収納部内に引き込まれ、便座を支持軸から取外した場合には、コイルスプリングが縮んで配線コードを引き出すことができる。
【０００６】
第４の発明に係るトイレ装置は、第１の発明に係るトイレ装置において、前記軸受ハウジングの一方の端部から前記便座の一方の袖部にわたって配線されている前記配線コードに、弛みの発生を防止する螺旋状の巻き癖が形成されている。そして、第５の発明に係るトイレ装置は、第４の発明に係るトイレ装置において、前記巻き癖は前記支持軸を中心にして配置されている。これによって、通常は弛んだ配線コードが巻き癖によって螺旋状になっているが、便座を支持軸から取外した場合には、螺旋状に巻かれた部分の直径が小さくなって、配線コードが実質的に長くなり、便座を任意の場所に配置できる。
【０００７】
【発明の実施の形態】
続いて、添付した図面を参照しつつ、本発明を具体化した実施の形態につき説明し、本発明の理解に供する。
ここに、図１は本発明の第１の実施の形態に係るトイレ装置の一部拡大斜視図、図２、図３は同一部切欠き側面図、図４は同全体斜視図、図５（Ａ）、（Ｂ）は本発明の第２の実施の形態に係るトイレ装置の説明図である。
【０００８】
図１〜図４に示すように、本発明の第１の実施の形態に係るトイレ装置１０は、陶器製の便器１１とその後ろ側上部に設けられた機能部収納ケース１２とを有している。機能部収納ケース１２の前側には軸受ハウジング１３が設けられ、軸受ハウジング１３から左右に突出する支持軸１４に便座１５の左右の袖部１６が軸着されている。左右の支持軸１４には、それぞれ便座１５及び便蓋１７の開閉用のモータを有する開閉駆動手段（図示せず）が設けられ、この開閉駆動手段は軸受ハウジング１３に収納されている。便座１５内に保温用のヒータと温度センサーが内蔵され、便座１５を常時所定温度に加熱している。なお、図１〜図３においては便蓋１７は取外されている。
【０００９】
図１に示すように、支持軸１４の先部に便蓋１７に掛合する断面非円形の掛合部１８が設けられ、この掛合部１８に噛合して便蓋１７の開閉が行われているようになっている。
掛合部１８の内側部分の支持軸１４には便座１５の基部側（後端）に設けられた袖部１６が取付けられ、図１に示す側の袖部１６（トイレ装置１０を正面視して左側の袖部をいう、以下同じ）の基部には支持軸１４に一方向から装着される断面Ｕ字状の切欠き１９が設けられている。この切欠き１９は便座１５を閉じた場合及び開いた場合でも、便座１５が支持軸１４から外れないように下側又は斜め下側方向に向いている。
【００１０】
袖部１６には便座１５内に配置されているヒータ及び温度センサーに接続されている配線コード２０が挿通され、この配線コード２０は軸受ハウジング１３の側壁２１に設けられている挿通孔２２（コード接続部の一例）を通って軸受ハウジング１３内に入り、機能部収納ケース１２内に配置されている図示しない制御装置に連結されている。袖部１６から便座１５内にかけて（すなわち、便座１５の後端に）、配線コード２０が通過するコード収納部２３が設けられ、コード収納部２３の基部側には、コード引込み手段２４が設けられている。
【００１１】
コード引込み手段２４は、配線コード２０が挿通する断面矩形のガイドボックス２５と、ガイドボックス２５内に配置されて配線コード２０を中心にして囲むコイルスプリング２６と、コイルスプリング２６内を挿通する配線コード２０に、配線コード２０が自由状態のコイルスプリング２６の先側から出た位置で固定されるストッパ部材２７とを有している。コイルスプリング２６の基端はコード収納部２３の一部であるガイドボックス２５の基端で支持されている。従って、例えば、便座１５を取外す場合等において、配線コード２０を袖部１６から引き出そうとすると、配線コード２０の先側に設けられているストッパ部材２７がコイルスプング２６を縮めることになる。又は取外した便座１５を所定位置に固定すると、配線コード２０が自由状態になるので、コイルスプリング２６が伸びて自動的に配線コード２０を袖部１６内に引込む。引き込まれた配線コード２０はコード引込み手段２４の更に奥側のコード収納部２３に配置される。コイルスプリング２６の強さは、強すぎると配線コード２０に無理な荷重がかかるので、弛んだ配線コード２０を引き上げるのに十分な力を有すればよい。なお、２８は配線コード２０のガイドである。
【００１２】
本実施の形態に係るトイレ装置１０は以上のような構成となっているので、図３に示すように、便座１５の袖部１６を支持軸１４から取外すと、袖部１６内に収納されている配線コード２０が引っ張られる。このとき、配線コード２０の所定位置にはストッパ部材２７が設けられているので、コイルスプリング２６を押し下げて配線コード２０が袖部１６から引き出される。これによって、便座１５がある程度自由になるので、例えば、機能部収納ケース１２等の上において、便器１１や軸受ハウジング１３を清掃することができる。
図に示すように、便座１５を元の位置に戻せば配線コード２０がコイルスプリング２６によって引き込まれて、袖部１６と軸受ハウジング１３の側壁２１との間には弛んだ配線コード２０はないことになる。
【００１３】
次に、図５（Ａ）、（Ｂ）に示す本発明の第２の実施の形態に係るトイレ装置について説明する。第１の実施の形態に係るトイレ装置と同一の構成要素については同一の番号を付してその詳しい説明を省略する。
このトイレ装置の袖部１６の基部側から突出する配線コード３０には巻き癖３１が設けられて軸受ハウジング１３の側壁２１に設けられている挿通孔２２に挿入されている。巻き癖３１は、支持軸１４を内側（中心）にしてその直径の２〜５倍程度の直径の螺旋状の１巻〜３巻程度の輪によって構成され、自然な状態で、その直径を保って側壁２１と袖部１６との間に配置されている。そして、この巻き癖３１は、便座１５のコード収納部２３の基端側（支持軸１４側）により、上方から覆われている。
なお、袖部１６内に配置されている配線コード３０の基側にはストッパ部材３２が設けられて、配線コード３０に無理な力がかかっても袖部１６から引き出せないようになっている。
従って、この実施の形態においては、便座１５を支持軸１４から取外すと、巻き癖３１の直径が変わって全体の配線コード３０の引出し長さが変わることになる。
【００１４】
前記実施の形態においては、袖部１６又は袖部１６と側壁２１との間で配線コード２０、３０の長さが変わるようにしているが、軸受ハウジング１３内にコード引込み手段を設けて、便座１５の移動距離に応じて配線コードを引き出せるようにしてもよいし、これを兼用して配線コードを更に長く引き出せるようにしてもよい。
【００１５】
【発明の効果】
請求項１〜５記載のトイレ装置においては、支持軸近傍より取り出されるヒータに接続される配線コードを収納するコード収納部を便座の後端に設けているので、コード収納部に余分な配線コードを収納し、ヒータに接続される配線コードを付けたままで、便座を簡単に取外すことが可能となる。
そして、配線コードが軸受ハウジングの一方の端部から便座の一方の袖部にわたって配線され、便座の袖部が支持軸に軸着されたときに、外部に配線コードが露出しないので、見栄えが向上する。
また、請求項４、５記載のトイレ装置においては、螺旋状の巻き癖をコードに付けているので、これを用いて便座の自由置き性を確保できる。
【図面の簡単な説明】
【図１】本発明の第１の実施の形態に係るトイレ装置の一部拡大斜視図である。
【図２】同一部切欠き側面図である。
【図３】同一部切欠き側面図である。
【図４】同全体斜視図である。
【図５】（Ａ）、（Ｂ）は本発明の第２の実施の形態に係るトイレ装置の説明図である。
【図６】従来例に係るトイレ装置の斜視図である。
【符号の説明】
１０：トイレ装置、１１：便器、１２：機能部収納ケース、１３：軸受ハウジング、１４：支持軸、１５：便座、１６：袖部、１７：便蓋、１８：掛合部、１９：切欠き、２０：配線コード、２１：側壁、２２：挿通孔、２３：コード収納部、２４：コード引込み手段、２５：ガイドボックス、２６：コイルスプリング、２７：ストッパ部材、２８：ガイド、３０：配線コード、３１：巻き癖、３２：ストッパ部材
【図１】
0003910395.tif 000002
【図２】
0003910395.tif 000003
【図３】
0003910395.tif 000004
【図４】
0003910395.tif 000005
【図５】
0003910395.tif 000006
【図６】
0003910395.tif 000007